(57)【特許請求の範囲】
【請求項１】
表面シートとバックシートとの間に吸収体を配置した体液吸収用物品において、前記バックシートが、炭酸カルシウム、硫化第１鉄、亜鉛華の少なくとも一つの消臭剤を混合して延伸した通気性フィルムに、アクリル酸含有繊維を配合した不織布又は紙を積層したものからなることを特徴とする体液吸収用物品。
【請求項２】
アクリル酸含有繊維が、セルロース繊維にメタクリル酸を共重合させた変性セルロースであることを特徴とする請求項１記載の体液吸収用物品。
【請求項３】
アクリル酸含有繊維が、アクリル繊維の一部を改質させたカルボキシル基を導入した変性アクリル繊維であることを特徴とする請求項１記載の体液吸収用物品。
【発明の詳細な説明】
【０００１】
【発明の属する分野】
この発明は、生理用品、失禁シート、使い捨ておしめ等の体液吸収用物品、特に体液の臭気を解消すると共に、使用時のムレを防止するようにした体液吸収用物品に関する。
【０００２】
【従来の技術】
従来、生理経血、尿等の体液を吸収する物品として、体液が透過可能な表面シートと体液不透過性のバックシートの間に破砕パルプ等の吸収体を内包してなる生理用ナプキン、失禁シート、使い捨ておしめ、おりものシート等の体液吸収用物品は公知である。かかる体液吸収用物品の使用時における問題点として、経血等の体液の漏洩、臭気の発生並びにムレが指摘されている。体液の漏洩の問題は、物品の構造、材質等に関する提案により、ほぼ満足し得る状態まで改善されてきている。又、使用時のムレは、バックシートを通気性とすることにより解決されるが、通気性のバックシートは水は不透過であるが水蒸気は透過する微細な孔が形成されたフィルム又は不織布で構成されているため、通気性を付与すると水蒸気と共に臭気が通過してしまうため、通気性の付与と臭気の防止を両立させることは困難であった。特に生理臭の場合、臭気が外部に漏れることに対して使用者（女性）は特に強い嫌悪感を抱くため、ムレ防止を目的とした通気性の付与が困難であった。
【０００３】
【発明が解決しようとする課題】
この発明は、ムレを防止するための通気性の付与と、消臭効果とを両立させ得るようにした体液吸収用物品を提供することを課題とする。
【０００４】
【課題を解決するための手段】
上記課題を解決するためにこの発明が採った手段は、表面シートとバックシートとの間に吸収体を配置した体液吸収用物品において、前記バックシートが、炭酸カルシウム、硫化第１鉄、亜鉛華の少なくとも一つの消臭剤を混合して延伸した通気性フィルムに、アクリル酸含有繊維を配合した不織布又は紙を積層したものからなることを特徴とする体液吸収用物品。
【０００９】
アクリル酸含有繊維が、セルロース繊維にメタクリル酸を共重合させた変性セルロースであることを特徴とする。
【００１０】
アクリル酸含有繊維が、アクリル繊維の一部を改質させたカルボキシル基を導入した変性アクリル繊維であることを特徴とする。
【００１１】
【発明の実施の形態】
この発明の好ましい実施の形態を、以下に詳細に説明する。以下に説明する実施形態は、生理用ナプキンを対象としているが、生理用ナプキンに限られるものではなく、使い捨ておしめ、失禁シート、織物シート等のその他の体液を吸収するための種々の物品に同様に適用することができるものである。生理用ナプキンは、体液を透過し得る表面シートと、体液の透過を阻止する体液不透過性のバックシート並びに両シートの間に内包された吸収体とからなり、従来周知の構造を有している。表面シート、バックシート及び吸収体は、従来この種物品に用いられている種々の材質、形状、構造のものを用いることができ、特に限定されるものではない。吸収体は一般的に破砕パルプからなるが、体液吸収性の高分子粒子を混合したものであってもよい。
【００１２】
表面シートは、使用者の肌と直接接触するため、好ましくは後述する肌に優しい樹脂フィルム若しくは不織布からなる表面材で形成するのが好ましいが、これに限られるものではなく、従来この種体液吸収用物品のために用いられている全ての表面材が使用可能である。肌に優しい樹脂フィルムとしては、化粧品原料から選択される添加剤が配合された単層若しくは二層の構造体からなり、体液を表面側から吸収体側に良好に移行させるための小さな孔が多数形成された穴あきフィルムの構造を有するものが好適である。単層のフィルム樹脂は、フィルムへの成形性、機械的強度、柔軟性等の点からポリエチレンが好適であり、二層の場合には肌側のフィルム層をポリエチレンとし、吸収体側のフィルム層をポリエチレンとエチレン酢酸ビニル共重合体の混合体としたものが最も適している。二層構造のフィルムは、肌側に位置するフィルム層に添加剤を配合する。エチレン酢酸ビニル共重合体の配合は、フィルムに柔軟性をもたらすと共に、ヒートシール性を向上させ低い温度でのヒートシールが可能となるため、吸収性物品への製造時に熱による他の素材への影響を防止することが可能となる。
【００１３】
樹脂フィルムへの添加剤の配合は、練り込みの手段により適用される。穴あきフィルムは、孔の径が小さい場合、液のスムースな移行を困難とするため、親水剤を配合して移行性の向上を図ることが好ましい。配合する親水剤としては、グリセリン、グリセリン脂肪酸エステル、親油型モノオレイン酸グリセリン、親油型モノステアリン酸グリセリン、ポリエチレングリコール、ポリオキシエチレンラウリルエーテル、モノオレイン酸ソルビタン、モノステアリン酸ソルビタン、モノラウリン酸ポリエチレングリコール等を挙げることが出来る。不織布は、ポリエチレン、ポリプロピレン又はポリエチレン／ポリプロピレン複合体からなり、繊維の表面に添加剤がコーティングの手段により適用される。
【００１４】
添加剤は、化粧品原料、特にスキンケア材料として化粧品に配合される配合剤が好適である。かかる配合剤としては、先ずマカデミアンナッツ油コレステリル誘導体、マカデミアンナッツ油脂肪酸フィトステリル、ジ（コレステリル、オクチルドデシル）Ｎ−ラウロイル−Ｌ−グルタミン酸エステル等の保湿剤、炭酸カルシウム、酸化亜鉛等のパウダー類が挙げられる。更にアロエエキス、ヨモギエキス、キトサン、シルクパウダー等の原料も使用することが出来る。マカデミアンナッツ油コレステリル誘導体、マカデミアンナッツ油脂肪酸フィトステリル、ジ（コレステリル、オクチルドデシル）Ｎ−ラウロイル−Ｌ−グルタミン酸エステル等の保湿剤、炭酸カルシウム、酸化亜鉛等のパウダー類は、耐熱性があるために約２３０℃の高温で押出成形される樹脂フィルムの添加剤として好適であり、特に酸化亜鉛、炭酸カルシウム等のパウダー類が優れている。
【００１５】
この発明は、バックシートとして通気性と消臭効果のあるフィルム、不織布、若しくは紙を使用することを特徴とする。バックシートして好適なフィルムは、ポリエチレン等のポリオレフィンに炭酸カルシウム、硫化第一鉄、亜鉛華を多量に混合配合してフィルム化し、フィルムを延伸することによりポリオレフィンと粉体の界面に空隙を生じさせたものが好ましい。かかるフィルムは水は通さないが水蒸気は通す機能を有し、生理用ナプキンに求められるムレ防止のための通気性を備えていると共に、配合された消臭剤により消臭機能が付加される。消臭剤の配合量は、フィルムに対して１〜６０重量％、さらに好ましくは４０〜５０重量％である。炭酸カルシウムは、イソ吉草酸に対する消臭効果が高く、硫化第一鉄はトリメチルアミンに対して効果があり、亜鉛華はイソ吉草酸及びエチルメルカプタンに対して消臭効果を有している。従って、これらの消臭剤は、個別に配合してもよいが、三種類の消臭剤を併せて配合することにより、イソ吉草酸、エチルメルカプタン及びトリメチルアミンに対して消臭効果を発揮することができ、生理用ナプキンの使用時に発生する全ての臭気を、実質的に消臭することが可能となる。
【００１６】
図１は、上記三種類の消臭剤を併せて配合したポリエチレンフィルムからなるバックシートを用いた生理用ナプキンの実施例を示す。図１において(１)は、表面シート、(２)は主として破砕パルプからなる吸収体、(３)は該吸収体(２)の上部に配置され生理用ナプキンの中央部を中高構造とするための第２の吸収体、(４)はバックシートであり、吸収体(２)(３)と表面シート(１)及びバックシート(４)との間には、吸収紙(５)が配置される。
【００１７】
バックシートは、前記消臭剤を配合したポリオレフィンフィルムに代って、炭酸カルシウムを配合した通気性を有するフィルムに、アクリル酸含有繊維を配合した不織布又は紙を積層したラミネート不織布又はラミネート紙であっても良い。通気性を有するフィルムは、ポリエチレン等のポリオレフィンに炭酸カルシウムを配合しフィルム化して延伸し、ポリオレフィンと粉体との界面に空隙を生じさせたものである。アクリル酸含有繊維としては、セルロース繊維にメタクリル酸を共重合させた変性セルロース、又はアクリル繊維の一部を改質させカルボキシル基を導入した変性アクリル繊維が好適である。かかるラミネート不織布又はラミネート紙は、水は通さないが水蒸気は通す通気性を有すると共に、フィルムに配合された炭酸カルシウムによるアルカリ性臭気（トリメチルアミン）に対する消臭効果と、変性アクリル繊維又は変性セルロースによる酸性臭気（イソ吉草酸））に対する消臭効果を有しており、異なる臭気スペクトルを持つ材料の組み合わせによって、より多様な消臭効果を発揮することが可能となり、生理用ナプキンのバックシートして好適な材料である。
【００１８】
図２は、バックシートにラミネート不織布を使用した生理用ナプキンの実施例を示す。図において(１)は表面シート、(２)(３)は吸収体、(５)は吸収紙であり、バックシート(４)に前記変性アクリル繊維を配合したラミネート不織布が用いられており、生理用ナプキンは図１と同様に中高構造となっている。図３は、バックシートにラミネート紙を使用した生理用ナプキンの実施例を示し、(１)は表面シート、(２)は吸収体、(５)は吸収紙であり、バックシート(４)に変性セルロースを配合したラミネート紙が用いられており、吸収体(２)は高分子吸収体(６)が配合された破砕パルプからなり、中高構造を採用していない点において図１，２とは異なっている。
【００１９】
【発明の効果】
この発明によれば、バックシートが通気性と消臭効果を有しているので、使用時おけるムレを効果的に防止しつつ臭気が外部に漏れるのを防止することができ、生理用ナプキン等の体液吸収用物品としてきわめて優れたものを提供することができる。
【図面の簡単な説明】
【図１】この発明の一実施例を示す断面図
【図２】他の実施例を示す断面図
【図３】更に他の実施例を示す断面図
【符号の説明】
(１)表面シート
(２)吸収体
(３)第２の吸収体
(４)バックシート
(５)吸収紙
(６)高分子吸収体
【図１】
0003968204.tif 000002
【図２】
0003968204.tif 000003
【図３】
0003968204.tif 000004